(57)【特許請求の範囲】
【請求項１】
上部にホッパーが設けられた水平スクリューコンベヤの出口部に垂直スクリューコンベヤを両コンベヤの軸心線を交差させて突き合わされた状態で直交させて連結しており、該突き合せ部付近における垂直スクリューコンベヤのスクリューの外周に近接した位置に、水平スクリューコンベヤのスクリューの先端部を支承する軸受具が設けられ、前記垂直スクリューコンベヤのシリンダーは、軸線方向に分割された一対の部材により構成され、該部材の一方を水平スクリューコンベヤ側に固着し、他方を一方の部材に対して回動可能に支承する構成とされた食肉移送用スクリューコンベヤであって、前記垂直スクリューコンベヤのシリンダーの分割面が水平スクリューコンベヤの送り方向に対して直交するように配置されており、前記軸受具は垂直スクリューコンベヤのシリンダーの内側から水平スクリューコンベヤのシリンダーの内壁に嵌脱自在とされるとともに、該軸受具に対し前記水平スクリューコンベヤのスクリューの先端部が挿脱可能とされ、前記垂直スクリューコンベヤのシリンダーの一方が回動された状態で前記軸受具と水平スクリューコンベヤのスクリューとを、若しくは、軸受具のみを前記回動されたシリンダー側から抜き取ることが可能とされたことを特徴とする食肉移送用スクリューコンベヤ。
【発明の詳細な説明】
【技術分野】
【０００１】  本発明は、冷凍肉切削機などで切削された食肉をチョッパーへ、あるいは、チョッパーで粗挽きされたミンチを次工程のミキサー又は仕上用チョッパーなどへ移送する食肉移送用スクリューコンベヤに関する。
【背景技術】
【０００２】  本発明に関連する技術には、本出願人による実公昭６２−７１０５号公報（特許文献１）および実開平６−７６２２２号公報（特許文献２）に開示されたものがある。
これらの公報に記載されたスクリューコンベヤを用いた移送装置においては、水平スクリューコンベヤの出口部に垂直スクリューコンベヤを直交させ連結している。【０００３】  上記何れの公報においても、水平スクリューコンベヤのスクリューは、出口部において自由状態とされている。従って、運転中においてスクリューがシリンダー内を遊動してスクリューの外周がシリンダーの内壁と干渉しその際に発生した切粉が、食肉に混入するおそれがあった。
【特許文献１】実公昭６２−７１０５号公報
【特許文献２】実開平６−７６２２２号公報
【発明の開示】
【発明が解決しようとする課題】
【０００４】  本発明は、前述した従来技術における問題点に対応するとともに、清掃、点検が容易な食肉移送用スクリューコンベヤを提供することを目的としている。
【課題を解決するための手段】
【０００５】上部にホッパーが設けられた水平スクリューコンベヤの出口部に垂直スクリューコンベヤを両コンベヤの軸心線を交差させて突き合わされた状態で直交させて連結しており、該突き合せ部付近における垂直スクリューコンベヤのスクリューの外周に近接した位置に、水平スクリューコンベヤのスクリューの先端部を支承する軸受具が設けられ、前記垂直スクリューコンベヤのシリンダーは、軸線方向に分割された一対の部材により構成され、該部材の一方を水平スクリューコンベヤ側に固着し、他方を一方の部材に対して回動可能に支承する構成とされた食肉移送用スクリューコンベヤであって、前記垂直スクリューコンベヤのシリンダーの分割面が水平スクリューコンベヤの送り方向に対して直交するように配置されており、前記軸受具は垂直スクリューコンベヤのシリンダーの内側から水平スクリューコンベヤのシリンダーの内壁に嵌脱自在とされるとともに、該軸受具に対し前記水平スクリューコンベヤのスクリューの先端部が挿脱可能とされ、前記垂直スクリューコンベヤのシリンダーの一方が回動された状態で前記軸受具と水平スクリューコンベヤのスクリューとを、若しくは、軸受具のみを前記回動されたシリンダー側から抜き取ることが可能とされたことを特徴とする食肉移送用スクリューコンベヤとする。【０００７】  さらに、前記軸受具は、水平スクリューコンベヤのシリンダー先端部の内壁に嵌脱自在に嵌め込まれる外環と水平スクリューコンベヤのスクリュー先端部を支持する中心部に設けられたボス部とで構成され、前記外環とボス部とはアームによって連結されていてアームを除いた空間部は食肉の通過口として開口される。【０００８】  前記軸受具に形成されたアームの端面と、水平スクリューコンベヤのスクリューの端面とは、少なくとも移送される食肉片の厚み寸法以上の隙間を有して対向するよう構成される。
【発明の効果】
【０００９】  水平スクリューコンベヤの出口部に垂直スクリューコンベヤを直交させて連結した食肉移送用スクリューコンベヤにおいて、水平スクリューコンベヤの出口部にスクリューの先端部を支承する軸受具を設けたので運転中にスクリューが遊動することなくスクリューの外周とシリンダーの内壁とが干渉するおそれがない。【００１０】  軸受具は、垂直スクリューコンベヤのスクリューの外周に近接した位置に設けられているので移送中の食肉が停滞することが少なく水平スクリューコンベヤから垂直スクリューコンベヤへとスムーズに引き継がれる。【００１１】  また、垂直スクリューコンベヤのシリンダーが、軸線方向に分割され一方を回動させた状態で軸受具と水平スクリューコンベヤのスクリューとをシリンダー側に抜き取ることが可能に構成されているので垂直スクリューコンベヤのシリンダーを外さなくとも水平スクリューコンベヤのスクリューを前記回動させたシリンダー側から機外に取り出すことが可能で清掃、点検が楽にできる。【００１２】  さらに、軸受具は、外環と中心部に設けられたボス部とで構成され、外環とボス部とはアームによって連結されていて、アームを除いた空間部は食肉の通過口として開口されているので食肉の移送を妨げない。【００１３】  軸受具のアームの端面と、水平スクリューコンベヤのスクリューの端面とは、少なくとも移送される食肉片の厚み寸法以上の隙間を有して対向するよう構成されているので、移送される食肉片が隙間に挟まれロックすることがないのでスムーズな搬送ができる。
【発明を実施するための最良の形態】
【００１４】  以下に本発明を実施するための最良の形態について図面を対照して説明する。【００１５】  図１は本発明装置の実施例における要部の側面図で、図２は同図におけるＡ−Ａ断面の要部のみを示す図である。【００１６】  図１に示すように、ホッパー１の底部に沿って水平スクリューコンベヤ２が設けられ、水平スクリューコンベヤ２を構成する螺旋状のスクリュー３の一端（図１では右側）は公知の構成なので図示を省略したが、機体に据え付けられているモータに連結された駆動軸に、軸方向には可動な係合手段で連結され回転可能とされている。【００１７】  また、水平スクリューコンベヤ２の出口側（図１では左側）のホッパー１の側壁からは水平スクリューコンベヤ２のシリンダー（外筒）４が一体的に延設されている。【００１８】  水平スクリューコンベヤ２の出口部には、垂直スクリューコンベヤ５が直交して連結される。
即ち、水平スクリューコンベヤ２のシリンダー４の出口部が、垂直スクリューコンベヤ５のシリンダー６の側壁に両コンベヤ２、５の軸心線を交差させて突き合わされた状態で連結される。【００１９】  垂直スクリューコンベヤ５を構成する螺旋状のスクリュー７は、底部に設けられた駆動装置８から突設された駆動軸９に挿脱可能とされ、図示しないが排出口付近が支持された状態で回転可能に支承されている。【００２０】  水平スクリューコンベヤ２のシリンダー４の出口部と垂直スクリューコンベヤ５のシリンダー６との突合せ部付近であって、垂直スクリューコンベヤ５のスクリュー７の外周に近接した位置に本発明の要旨である水平スクリューコンベヤ２のスクリュー３の先端部を支承する軸受具１０が設けられる。【００２１】  図２に示すように軸受具１０の移送方向側端面が、垂直スクリューコンベヤ５のスクリュー７の外周に近接する位置に設けられるので、軸受具１０に形成された通過口を通過しようとする食肉片を垂直スクリューコンベヤ５のスクリュー７が引き出す。【００２２】  軸受具１０は、水平スクリューコンベヤ２のスクリュー３の外径寸法程度の内径寸法と適宜巾寸法を有したリング状の外環１１と、中心部に設けられたスクリュー３の先端部を支持するボス部１２と、外環１１とボス部１２とを連結する適宜個数のアーム１３・・で構成される。【００２３】  外環１１の内壁面とボス部１２の外周面とで形成されるドーナツ状の空間の内、アーム１３・・で占められる部分を除いて食肉の通過口とされる。アーム１３・・は、通過障害とならないように図２に示される断面形状が扁平な平板状とされ、食肉が取り込み易いように流れ方向に適宜のすくい角を有して形成される。【００２４】  軸受具１０は、垂直スクリューコンベヤ５のシリンダー６の内側からシリンダー４の内壁に嵌脱自在とされる。【００２５】  軸受具１０の外環１１の外周の複数箇所には詳細表示は省略するが、ありみちが刻設されていて、軸受具１０がシリンダー６の内側からシリンダー４の内壁に嵌め込まれたとき、ありみちがシリンダー４から突設された位置決めピン１４・・と契合して定位置に固定される構成である。【００２６】  ボス部１２には、スクリュー３の先端部を支持する支持ピン１５がねじなどによって一体的に固着され支持ピン１５とスクリュー３の先端部に形成された軸受穴とは緩く嵌合し挿脱可能とされる。
逆に、支持ピン１５をスクリュー３の先端部に固着し、軸受具１０に軸受穴を形成するようにしても良い。【００２７】  軸受具１０に形成されたアーム１３・・の端面と、水平スクリューコンベヤ２のスクリュー３の端面とは、少なくとも移送される食肉片の厚み寸法以上の隙間Ｃを有して対向するよう構成させる。
これは食肉片が隙間Ｃに挟まれてロック状態となり過大負荷が発生して各部の破損や運転停止となるなどの問題発生を防止するためである。【００２８】  本実施例においては、垂直スクリューコンベヤ５のシリンダー６は公知（例えば実公平２−４００２２）のように、軸線方向に分割された一対の部材６ａおよび６ｂにより構成され、一方の部材６ｂを水平スクリューコンベヤ２側に固着し、他方の部材６ａを部材６ｂに対して図２の仮想線表示のように回動可能に支承する構成としている。【００２９】  軸受具１０が取り付けられるシリンダー４とシリンダー６との突き合せ部の構成は、シリンダー６の固定側部材６ｂが、シリンダー４との突き合せ部分近くで上下に分割され下側の部材はシリンダー４と一体構成とされる。尚、分割部分はボルトなどで締結され上側の部材が取り外せる構成とされる。【００３０】  上述のように構成された食肉移送用スクリューコンベヤにおける作業終了後の清掃要領について説明する。【００３１】  先ず、垂直スクリューコンベヤ５のシリンダー６の回動側部材６ａを回動させてシリンダー６を開放状態とし、スクリュー７を取り外す。
ついで軸受具１０を回動させて、ありみちと位置決めピン１４・・との契合を解き軸受具１０をシリンダー６の内側から機外に抜き出す。
最後にスクリュー３を、シリンダー６を経て機外に抜き出し各部品および食肉が通過した部分を、圧力水などを用いて洗浄し清掃する。【００３２】  スクリュー３は、汚れ具合によっては機外への抜き出しは行わず、軸受具１０のみを外した状態で清掃しても良い。【００３３】  詳細は表示しないが、シリンダー４とシリンダー６とを、突き合せ部で接離可能として、軸受具１０をシリンダー６側に取り付けた構成とし、清掃時には、垂直スクリューコンベア５を水平スクリューコンベヤ２の軸線方向にスライドさせて、軸受具１０とスクリュー３の先端部との係合を解き、垂直スクリューコンベヤ５を水平スクリューコンベヤ２から分離してからスクリュー３を機外に抜き取るようにしても良い。
【図面の簡単な説明】
【００３４】
【図１】本発明装置の実施例における要部の側面図。
【図２】図１におけるＡ−Ａ断面の要部のみを示す図。
【符号の説明】
【００３５】  ２      水平スクリューコンベヤ
３      水平スクリューコンベヤのスクリュー
４      水平スクリューコンベヤのシリンダー
５      垂直スクリューコンベヤ
６      垂直スクリューコンベヤのシリンダー
７      垂直スクリューコンベヤのスクリュー
１０    軸受具
【図１】
0004660676.tif 000002
【図２】
0004660676.tif 000003